(57)【要約】【課題】２種類の操作部が直感的に連動しているということが分かるような画面表示を行い、２種類の操作部（例えばタッチパネルと物理キー）を連携させることにより、一方の操作部による大雑把な選択と、他方の操作部による微調整を容易に行うことができる携帯端末装置を提供する。【解決手段】タッチパネル２８には、画像が表示される画像領域２５、および操作キーを表示する有効部連動領域２６，２７が表示される。一方、入力デバイス３０は、タッチパネル２８とヒンジ２９により折畳み可能に接続され、タッチパネル２８に表示された有効部連動領域２６，２７に対応する位置に、キー操作が有効になる有効部３１，３２、およびタッチパネル２８に表示された画像領域２５に対応する位置に、キー操作が無効になる無効部３３を有する。【選択図】図２
2010283442.tif 000002
【特許請求の範囲】
【請求項１】
画像を表示する画像領域と操作キーを表示する操作領域とを有する第１の操作部と、
前記第１の操作部の前記操作領域と連動する第２の操作部と、
を備える携帯端末装置。
【請求項２】
請求項１に記載の携帯端末装置であって、
前記第２の操作部は、前記第１の操作部の前記操作領域に対応する部分の入力を有効にし、前記第１の操作部の前記画像領域に対応する部分の入力を無効にする、携帯端末装置。
【請求項３】
請求項１又は請求項２に記載の携帯端末装置であって、
前記第２の操作部は、前記第１の操作部の前記操作領域に対応する部分のバックライトを点灯し、前記第１の操作部の前記画像領域に対応する部分のバックライトを点灯しない、携帯端末装置。
【請求項４】
請求項１に記載の携帯端末装置であって、
前記第２の操作部は、前記第１の操作部の前記画像領域に対応する部分でポインタ操作を受け付ける、携帯端末装置。
【請求項５】
請求項１から請求項４までのいずれか１項に記載の携帯端末装置であって、
前記第１の操作部はタッチパネルより構成され、
前記第２の操作部は、ハードキーより構成される、携帯端末装置。
【請求項６】
請求項１に記載の携帯端末装置であって、
前記第１および第２の操作部から受信したデータを、前記第１の操作部に現在表示されている状態と対比させ有効／無効の判定を行う連動制御部を備える、携帯端末装置。
【請求項７】
請求項６に記載の携帯端末装置であって、
前記連動制御部は、前記第２の操作部において、前記第１の操作部の前記操作領域と位置的に対応する部分を有効部とし、前記第１の操作部の前記画像領域と位置的に対応する部分を無効部とする、携帯端末装置。
【請求項８】
請求項７に記載の携帯端末装置であって、
前記連動制御部は、前記第１の操作部の前記画像領域の移動を検出した場合に、前記操作領域をずらし、前記画像領域および前記操作領域と位置的に対応するように、前記有効部および前記無効部を切り替える、携帯端末装置。
【請求項９】
請求項７に記載の携帯端末装置であって、
前記連動制御部は、前記第１の操作部の前記画像領域の回転を検出した場合に、前記画像領域の天頂方向に対応するように、前記操作領域を回転させ、前記有効部および前記無効部を切り替える、携帯端末装置。
【請求項１０】
請求項７に記載の携帯端末装置であって、
前記連動制御部は、前記第２の操作部の前記無効部に対する押下を検出した場合に、前記無効部および前記有効部を切り替え、前記無効部および前記有効部と位置的に対応するように、前記画像領域および前記操作領域を移動させる、携帯端末装置。
【請求項１１】
請求項６に記載の携帯端末装置であって、
前記第２の操作部は、回転型セレクタを含み、
前記連動制御部は、前記第１の操作部の前記操作領域が前記回転型セレクタに位置的に対応している場合に、前記回転型セレクタに対する操作を有効にする、携帯端末装置。
【発明の詳細な説明】
【技術分野】
【０００１】
本発明は、携帯端末装置に関し、特に、互いに異なる２種類の操作部を備える携帯端末装置に関する。
【背景技術】
【０００２】
近年、多機能化された携帯電話の操作を容易にするためのユーザインターフェースが開発されている。例えば、図１４に示す携帯電話装置ＫＳは、折畳み式の携帯電話装置本体Ｈに、キー入力を行う操作部１と、電話相手の番号や電話帳情報などを表示する表示部２と、マイク３と、レシーバ４と、本体上部に設けたアンテナ５とを備えている。
【０００３】
この携帯電話装置ＫＳは、表示部２に操作部表示６（操作部１をビジュアル的に表示したもの）を行ない、例えば、表示部２に表示された「電話をかける」を反転表示し、また操作部表示６に表示された「開始キー」７をマーカー表示し、視覚認識可能（ビジュアル的）に表示するので、高齢者や児童等であっても、次に操作すべき内容を理解でき、その操作に必要なキーを容易に認識することができる。ただし、表示部２がタッチパネルであるとの記載は無い（例えば、特許文献１参照）。
【０００４】
一方、周囲の明るさに応じて、物理キーに対応したソフトキーを自動表示し、携帯電話にも適用できる電子機器が知られている。図１５は、この電子機器により、外部光量を検出し、周囲の明るさに応じて、物理キーに対応したソフトウェアキーボードを表示画面上に自動的に表示した表示画面８を示す図である。
【０００５】
図１５（ａ）は、表示画面８上にソフトキー表示が何もなされていない表示画面例である。そして、図１５（ｂ）は、外部光量レベルが所定の閾値レベル以下のため、表示画面８上にソフトキー群１０と電源スイッチソフトキー９が表示されている表示画面例である。ただし、ソフトキーを表示したときは、電子機器本体に設けられた物理キーは使用不可となる（例えば、特許文献２参照）。
【先行技術文献】
【特許文献】
【０００６】
【特許文献１】特開２００２−３４４６１０号公報
【特許文献２】特開２０００−３３９０８９号公報
【発明の概要】
【発明が解決しようとする課題】
【０００７】
しかしながら、特許文献１に記載された携帯電話装置は、キーの意味が一意に決まっていて、ある画面で有効なキーを表示するような操作ナビゲーション用途に限定されている。すなわち、物理キー（機械式のキー）とソフトキー（タッチパネルのキー；タッチキー）の関係が固定されており連動することがない。
【０００８】
また、特許文献２に記載された電子機器は、タッチキーか物理キーを排他で利用し、暗いところではＬＣＤ（表示画面）のソフトキーのみ、明るいところでは物理キーのみがそれぞれ操作可能であり、両者が操作可能になっていない。この場合、タッチパネルのみでは、感覚的な（大雑把な）操作はやりやすいが、細かい微調整のような操作には向かない。物理キーはその逆が言える。
【０００９】
本発明は、上記従来の事情に鑑みてなされたものであって、２種類の操作部が直感的に連動しているということが分かるような画面表示を行い、２種類の操作部（例えば、タッチパネルと物理キー）を連携させる携帯端末装置を提供する。
【課題を解決するための手段】
【００１０】
本発明の携帯端末装置は、画像を表示する画像領域と操作キーを表示する操作領域とを有する第１の操作部と、前記第１の操作部の前記操作領域と連動する第２の操作部と、を備える。
【００１１】
上記構成によれば、携帯端末装置において、２種類の操作部が連動しているということを、ユーザに対し直感的に理解させることができる。
【００１２】
また、本発明の携帯端末装置は、前記第２の操作部は、前記第１の操作部の前記画像領域に対応する部分の入力を無効にし、前記第１の操作部の前記操作領域に対応する部分の入力を有効にする。
【００１３】
上記構成によれば、第１の操作部の操作領域に対応する部分の入力を有効にするので、画像領域を見ながら操作領域の操作キーに対応させてキー入力を行うことができる。
【００１４】
また、本発明の携帯端末装置は、前記第２の操作部は、前記第１の操作部の前記操作領域に対応する部分のバックライトを点灯し、前記第１の操作部の前記画像領域に対応する部分のバックライトを点灯しない。
【００１５】
上記構成によれば、２種類の操作部が連動しているということを、ユーザにより分かりやすく視覚的に認識させることができる。
【００１６】
また、本発明の携帯端末装置において、前記第２の操作部は、前記第１の操作部の前記画像領域に対応する部分でポインタ操作を受け付ける。
【００１７】
上記構成によれば、第１の操作部の画像領域に対応する部分でポインタ操作を受け付けるので、画像領域に対応して無効となる部分を有効に活用することができる。
【００１８】
また、本発明の携帯端末装置において、前記第１の操作部はタッチパネルより構成され、前記第２の操作部は、ハードキーより構成される。
【００１９】
上記構成によれば、タッチパネルにより直感的な操作又は粗い操作を行い、ハードキーにより定量的または微調整の操作を行うことができる。
【００２０】
また、本発明の携帯端末装置は、前記第１および第２の操作部から受信したデータを、前記第１の操作部に現在表示されている状態と対比させ有効／無効の判定を行う連動制御部を備える。
【００２１】
上記構成によれば、第１および第２の操作部から受信したデータを、第１の操作部に現在表示されている状態と対比させ有効／無効の判定を行うので、ユーザの操作に連動して画面表示および操作キーの配置を変えることができる。
【００２２】
また、本発明の携帯端末装置において、前記連動制御部は、前記第２の操作部において、前記第１の操作部の前記操作領域と位置的に対応する部分を有効部とし、前記第１の操作部の前記画像領域と位置的に対応する部分を無効部とする。
【００２３】
上記構成によれば、操作領域と位置的に対応する部分を有効部とし、画像領域と位置的に対応する部分を無効部とするので、ユーザの操作に連動して、キー入力が容易な位置を有効部とすることができる。
【００２４】
また、本発明の携帯端末装置において、前記連動制御部は、前記第１の操作部の前記画像領域の移動を検出した場合に、前記操作領域をずらし、前記画像領域および前記操作領域と位置的に対応するように、前記有効部および前記無効部を切り替える。
【００２５】
上記構成によれば、画像領域の移動を検出した場合に、画像領域および操作領域と位置的に対応するように有効部および無効部を切り替えるので、表示画像と入力キーの連動を直感的に認識させることができる。
【００２６】
また、本発明の携帯端末装置において、前記連動制御部は、前記第１の操作部の前記画像領域の回転を検出した場合に、前記画像領域の天頂方向に対応するように、前記画像領域を回転させ、前記有効部および前記無効部を切り替える。
【００２７】
上記構成によれば、画像領域の回転を検出した場合に、画像領域の天頂方向に対応するように、操作領域を回転させ、有効部および無効部を切り替えるので、表示画像と入力キーの連動を直感的に認識させることができる。
【００２８】
また、本発明の携帯端末装置において、前記連動制御部は、前記第２の操作部の前記無効部に対する押下を検出した場合に、前記無効部および前記有効部を切り替え、前記無効部および前記有効部と位置的に対応するように、前記画像領域および前記操作領域を移動させる。
【００２９】
上記構成によれば、無効部に対する押下を検出した場合に、無効部および有効部を切り替え、無効部および有効部と位置的に対応するように、画像領域および操作領域を移動させるので、画像領域に対応して無効となる部分を有効に活用することができる。
【００３０】
また、本発明の携帯端末装置において、前記第２の操作部は、回転型セレクタを含み、前記連動制御部は、前記第１の操作部の前記操作領域が前記回転型セレクタに位置的に対応している場合に、前記回転型セレクタに対する操作を有効にする。
【００３１】
上記構成によれば、操作領域が回転型セレクタに位置的に対応している場合に、回転型セレクタに対する操作を有効にするので、画像領域を見ながら回転型セレクタの操作を容易に行うことができる。
【発明の効果】
【００３２】
以上説明したように、本発明にかかる携帯端末装置は少なくとも２種類の操作部を備え、当該２種類の操作部が連動しているということを、ユーザに対し直感的に理解させることができる。したがって、携帯端末装置の操作性の向上を図ることができる。
【図面の簡単な説明】
【００３３】
【図１】本発明の実施形態にかかるタッチパネルと連動したハードキーを有する携帯端末装置のブロック図
【図２】本発明の実施形態にかかるタッチパネルと連動したハードキーを有する携帯端末装置の構成図
【図３】本発明の実施形態にかかる携帯端末装置において、スライド操作による有効部切り替えを説明するための図
【図４】本発明の実施形態にかかる携帯端末装置において、回転操作による天頂方向切り替えに伴う有後部切り替えを説明するための図
【図５】本発明の実施形態にかかる携帯端末装置において、無効部の活用（センサデバイス化）を説明するための図
【図６】本発明の実施形態にかかる携帯端末装置において、無効部の活用（無効部押下で画像領域、有効部連動領域を切り替える）を説明するための図
【図７】本発明の実施形態にかかる携帯端末装置の実現例（ピクチャのサムネイル表示）を説明するための図
【図８】本発明の実施形態にかかる携帯端末装置の実現例（ピクチャのサムネイル表示）を説明するための図
【図９】本発明の実施形態にかかる携帯端末装置において、一覧表示を行う場合の操作を示す図
【図１０】本発明の実施形態にかかる携帯端末装置において、選択フレームの編集画面への遷移を示す図
【図１１】本発明の実施形態にかかる携帯端末装置において、選択フレームの編集画面を示す図
【図１２】本発明の実施形態にかかる携帯端末装置の回転型セレクタを示す図
【図１３】本発明の実施形態にかかる携帯端末装置の回転型セレクタを示す図
【図１４】従来の携帯電話装置の全体構成の外観図
【図１５】従来の電子機器の表示画面を示す図
【発明を実施するための形態】
【００３４】
図１は、本発明の実施形態にかかるタッチパネルと連動したハードキーを有する携帯端末装置のブロック図を示す。この携帯端末装置は、第１の操作部１１と、第２の操作部１９と、入力制御部１５と、連動制御部２１と、センサ２０とを有する。
【００３５】
第１の操作部１１は、タッチセンサを含むタッチパネル１２と、キーセンサ、回転セレクタセンサまたはタッチセンサを含む入力デバイスＡ１３と、画像を表示するディスプレイ１４とを備える。第２の操作部１９は、静電センサ、光センサまたは圧力センサを含む入力デバイスＢ１７と、物理キー（ハードキー）１８とを備える。入力制御部１５は、タッチパネル１２等への入力を受け付け、表示制御部１６は、ディスプレイ１４の表示を制御し、連動制御部２１は、入力と表示を連動させる。センサ２０は、加速度センサまたはジャイロセンサを含む。
【００３６】
次に、各ブロックの役割を説明する。タッチパネル１２は、タッチパネルディスプレイ側のセンサを有するブロックである。入力デバイスＡ１３は、タッチパネルディスプレイの表示内容と連動する入力デバイスを有するブロックである。
【００３７】
入力デバイスＢ１７は、連動制御部２１により無効にされた入力部分を活用するためにポインタ表示等を行うための入力デバイスを有するブロックである。物理キー（ハードキー）１８は、テンキーなどの機械的なハードキーより構成される。入力制御部１５は、タッチパネル１２、入力デバイスＡ１３、入力デバイスＢ１７より出力された信号を受信し、間引き、チャタリングやノイズ除去などの整形処理を行った上で、連動制御部２１にデータを渡す。また、センサ２０に含まれる加速度センサまたはジャイロセンサは、端末の向き、体勢などの情報を検知し、連動制御部２１に通知する。
【００３８】
連動制御部２１は、入力制御部１５より受信したデータを、ディスプレイ１４に現在表示されている状態と対比させ有効／無効の判定を行い、表示制御部１６へのデータの通知可否を決定する。また、入力制御部１５やセンサ２０に含まれる加速度センサ、ジャイロセンサからの情報を元に、連動画面の構成を行い、表示制御部１６に通知する。
【００３９】
表示制御部１６は、連動制御部２１より通知された画面構成を元に、ディスプレイ１４への描画を行う。ディスプレイ１４は、表示制御部１６より指示された画面を表示する。
【００４０】
図２は、本発明の実施形態にかかるタッチパネルと連動したハードキー（物理キー）を有する携帯端末装置の構成図を示す。携帯端末装置は、第１の操作部１１と、第２の操作部１９と、当該第１の操作部１１および第２の操作部１９を開閉可能に接続するヒンジ２９とを備える。
【００４１】
第１の操作部１１は、タッチパネル２８（図１ではタッチパネル１２およびディスプレイ１４を兼ねる）を含み、タッチパネル２８には画像が表示される画像領域２５、および操作キー（タッチキー）を表示する操作領域であって、入力操作が有効である有効部連動領域２６，２７が表示される。また、図１の入力デバイスＡ１３も第１の操作部１１に備えつけられている。
【００４２】
第２の操作部１９は、第１の操作部１１とヒンジ２９により折畳み可能に接続されており、物理キー１８を備える。そして、タッチパネル２８に表示された有効部連動領域２６，２７に対応する位置に、キー操作が有効になる有効部３１，３２、およびタッチパネル２８に表示された画像領域２５に対応する位置に、キー操作が無効になる無効部３３を有する。有効部３１，３２、および無効部３３は、それぞれ異なる物理キー１８によって構成されている。また、図１の入力デバイスＢ１７も第２の操作部１９に備えつけられている。
【００４３】
このように本実施形態では、有効部連動領域２６，２７に表示されているユーザインターフェース（ＵＩ）群と、有効部３１，３２が視覚的に直感的に連動していることが分かるようなＵＩ表示となっている。そして、指先をタッチパネル２８に接触させ、画像領域２５を任意の方向にずらすことにより、前状態で表示されていた有効部連動領域２６，２７が隠れ、新たに表示された部分が有効部連動領域２６，２７となる。
【００４４】
上記した操作にあわせ、タッチパネル２８の有効部連動領域２６，２７に連動する有効部３１，３２および無効部３３が切り替えられる。有効部連動領域２６，２７に連動する物理キー１８が有効部３１,３２となるが、第２の操作部１９全体がタッチパネルで構成される例の場合は、有効部連動領域２６，２７に連動するディスプレイ表示された入力ＵＩが有効部３１，３２となる。
【００４５】
上記操作における図１の各ブロックの処理を説明する。入力制御部１５は、タッチパネル１２への指先等による接触入力（スライド、スクラッチなどの動作入力）を受け付ける。連動制御部２１は、入力制御部１５より受信した接触入力に基づくデータを、タッチパネル２８（図１ではディスプレイ１４）に現在表示されている状態（画像領域２５と、有効部連動領域２６，２７の配置）と対比させ、有効／無効の判定を行い、表示制御部１６へのデータの通知可否を決定する。有効判定とはタッチパネル２８の表示を変更すべきデータであるとの判定であり、無効判定とはタッチパネル２８の表示を変更すべきでないデータであるとの判定である。
【００４６】
ここで、連動制御部２１からバックライト２２へ指示を行い、有効部３１、３２のバックライトのみを点灯する（又は無効部３３のバックライトを点灯しない）ことなどを行うことにより、有効部３１、３２が有効なキーであり無効部３３が無効なキーであることを、ユーザにより分かりやすく視覚的に認識させることもできる。また、２種類の操作部が連動しているということを、ユーザにより分かりやすく視覚的に認識させることもできる。
【００４７】
表示制御部１６は、連動制御部２１より通知された有効判定に対応した画面構成を元に、タッチパネル２８（図１ではディスプレイ１４）への描画を行う。具体的には、有効判定に対応した画像領域２５と、有効部連動領域２６，２７の配置を元にタッチパネル２８（図１ではディスプレイ１４）への描画を行う。そして、タッチパネル２８（図１ではディスプレイ１４）は、表示制御部１６より指示された画面（画像領域２５と、有効部連動領域２６，２７）を表示する。
【００４８】
このとき連動制御部２１は、有効判定に対応した画像領域２５と、有効部連動領域２６，２７の配置を元に、第２の操作部１９の物理キー１８の有効部３１，３２または無効部３３への振り分けを行う。すなわち、連動制御部２１は、第２の操作部１９において、第１の操作部１１の有効部連動領域２６，２７と位置的に対応する部分を有効部３１，３２に設定し、第１の操作部１１の画像領域２５と位置的に対応する部分を無効部３３に設定する。
【００４９】
図３は、本実施形態のタッチパネルと連動したハードキーを有する携帯端末装置において、スライド操作による有効部の切り替えを説明するための図である。タッチパネルに指先を接触させ、図３（ａ）に示すように表示画像（画像領域）２５を左右にスライドさせると、図３（ｂ）に示すように有効キー（有効部）３１，３２及び連動部（有効部連動領域）２６，２７が切り替わる。また、図３（ｃ）に示すように表示画像２５を上下にスライドさせると、図３（ｄ）に示すように有効キー３１（３２）及び連動部２６（２７）が切り替わる。同様に、図３（ｅ）に示すように表示画像２５を斜めにスライドさせると、図３（ｆ）に示すように有効キー３１（３２）及び連動部２６（２７）が切り替わる。
【００５０】
すなわち、連動制御部２１は、第１の操作部１１の画像領域２５の移動を検出した場合に、有効部連動領域２６，２７をずらし、画像領域２５および有効部連動領域２６，２７と位置的に対応するように、有効部３１，３２および無効部３３を切り替える。
【００５１】
このように本実施形態の携帯端末装置によれば、タッチパネルのタッチキー（有効部連動領域）に対するタッチによる直感的な操作と、テンキーなどとの連携をうまくとり、操作性の向上を図ることができる。すなわち、タッチパネルに対するスライドなどの指による操作で画像を移動させた場合、画像とかぶらないように操作可能なハードキーも（連動させることにより）移動させ、タッチパネルによる直感的な操作性を確保しつつ、テンキーの操作性の向上も図ることができる。
【００５２】
図４は、本実施形態のタッチパネルと連動したハードキーを有する携帯端末装置において、回転操作（あるいはセンサデバイスでの方向検知）による天頂方向切り替えに伴う有後部切り替えを説明するための図である。
【００５３】
図４（ａ）に示す様に、センサ２０（図１）が、携帯端末装置、すなわち表示画像（画像領域）５５の回転操作を検出することにより、画像および操作部の天頂方向自体を検出し、表示制御部１６が、図４（ｂ）に示すように表示画像５６およびタッチキー（有効部連動領域）５８の天頂方向を切り替える。また、連動制御部２１が、ハードキー（物理キー）５７をタッチキー５８に対応する位置に切り替える。
【００５４】
すなわち、連動制御部２１は、第１の操作部１１の画像領域５５の回転を検出した場合に、画像領域５５の天頂方向に対応するように、画像領域５５を回転させ、有効部および無効部を切り替える。
【００５５】
このように、タッチキー５８およびハードキー５７を連動且つ同時操作可能とすることにより、ユーザの持ち方に応じてキー操作に有効な部分を自由に配置でき、操作目的に応じてタッチキー操作やハードキー操作を、フレキシブルに切り替えることができる。
【００５６】
図５は、本実施形態のタッチパネルと連動したハードキーを有する携帯端末装置において、無効部の活用（センサデバイス化）を説明するための図である。本実施形態では、第２の操作部１９の入力デバイス６２（図１では入力デバイスＢ１７）を多層化することにより、入力デバイス６２の上または下にセンサデバイス６３が配置されている。そして、表示画像（画像領域）６１と連携して無効部６４となった領域に対しユーザがタッチした場合、センサデバイス６３は当該ユーザの操作を検知し、無効部６４を有効化し、ポインタ操作などを可能とする。このように入力デバイス６２の上下にセンサデバイス６３を配置し、所定の条件に応じて無効部６４を有効とすることで、無効部６４をも有効に活用することができる。
【００５７】
図６は、本実施形態のタッチパネルと連動したハードキーを有する携帯端末装置において、無効部の活用（無効部押下で画像領域、有効部連動領域を切り替える）を説明するための図である。図６（ａ）に示すように、画像領域７１に隠されたソフトキー部に連動する無効部（物理キー）７２は操作無効となっているが、ユーザが無効部７２を押下すると、図６（ｂ）に示すように、無効部７２に連動する箇所が有効部７６になるように、表示画像（画像領域）７５が自動で移動する。押下の検知には、図５で説明したセンサデバイス６３等を使用することができる。
【００５８】
すなわち、連動制御部２１は、第２の操作部１９の無効部７２に対する押下を検出した場合に、無効部７２および有効部７３を切り替え、無効部７７および有効部７６と位置的に対応するように、画像領域７５および連動部７４を移動させる。
【００５９】
本実施形態によれば、無効部７２に対する押下を検出した場合に、無効部７２および有効部７３を切り替え、無効部７７および有効部７６と位置的に対応するように、画像領域７５および操作領域７４を移動させるので、画像領域７１に対応した無効部７２を有効に活用することができる。
【００６０】
図７，８は、本実施形態の携帯端末装置の実現例（ピクチャのサムネイル表示）を説明するための図である。図７は基本画面（横）を示し、図８は基本画面（縦）を示す。状態アイコンまたは機能選択アイコン８６により、表示する画像の状態または機能を選択し、前後ページボタン８４，８５を使用して、フレーム一覧８２で表示したい画像を探す。フレーム一覧８２において表示したい画像８３をフォーカスすると、画像領域８１にフォーカスしたフレームの画像が表示される。
【００６１】
図９は、本実施形態の携帯端末装置の実現例（ピクチャのサムネイル表示）を説明するための図であり、特に一覧表示（コンテンツ一覧や、動画編集におけるフレーム一覧）を行う場合の操作を示す。この操作では、例えば、（１）左右へのスライド（フリック）でページが移動する。（２）前後ページボタンをタップ（ナビキー左右を長押下でも可）することのよりページが切り替わる。（３）フォーカスするフレーム選択（ナビキー上下左右短押下でも可、テンキー位置に同期）により、フォーカスした画像が画像領域に表示される。タッチパネルの有効部連動領域は、入力デバイスの有効部の同位置のものとリンクする。
【００６２】
図１０は、本実施形態の携帯端末装置の実現例（ピクチャのサムネイル表示）を説明するための図であり、特に選択フレームの編集画面への遷移を示す。図１０（ａ）に示すように、（４）フォーカス画像を右へスライド（Ｓ１キー長押下でも可）することにより、図１０（ｂ）に示すように、スライドさせた画像の下から、ナビキーにリンクした編集画面機能キー１０１が現れる。
【００６３】
図１１は、本実施形態の携帯端末装置の実現例（ピクチャのサムネイル表示）を説明するための図であり、特に選択フレームの編集画面を示す。図１１（ａ）に示すように、（１）機能の選択はスクロールキーに連動し、同位置のものとリンクする。（２）上左は前の画像、下右は次の画像、キーの上下左右にも連動する。また、図１１（ｂ）に画像のスクロール順を示す。
【００６４】
図１２，１３は、本実施形態の携帯端末装置のタッチパネルと連動したハードキーを有する携帯端末装置における回転型セレクタを示す。図１２において、セレクタ連動部１１１は、回転型セレクタ１１２の回転に連動し、押し込み連動またはタッチで決定する。回転型セレクタ１１２は、回して選択、押し込みで決定する。また、図１３において、セレクタ連動部１１５は、回転型セレクタ１１６の回転に連動し、押し込み連動またはタッチで決定する。回転型セレクタ１１６は、回して選択、押し込みで決定する。
【００６５】
本実施形態によれば、連動制御部２１は、セレクタ連動部１１１，１１５が回転型セレクタ１１２，１１６に位置的に対応している場合に、回転型セレクタ１１２，１１６に対する操作を有効にするので、表示画像を見ながら回転型セレクタ１１２，１１６の操作を容易に行うことができる。
【００６６】
以上説明したように、本実施の形態にかかる携帯端末装置は、少なくとも２種類の操作部を備え、当該２種類の操作部が連動しているということを、ユーザに対し直感的に理解させることができる。したがって、携帯端末装置の操作性の向上を図ることができる。
【００６７】
また、２種類の操作部は、表示配置を工夫することにより連動していることを直感的に理解させる。そのため、例えばタッチパネル側のある位置に表示される内容は、その画面の用途により変更することが可能である。したがって、ある位置に表示される操作部はその画面状態に応じたものにフレキシブルに変更することが可能となり、携帯端末装置の操作性の向上を図ることができる。また、携帯端末装置の表現力の向上を図ることもできる。
【００６８】
本発明によれば、携帯端末装置において、２種類の操作部が連動しているということを、ユーザに対し直感的に理解させることができる。したがって、例えば、一方の操作部が大雑把な選択を担い、他方の操作部が微調整を担うといったような、互いに性質の異なる二つの操作部の連動性の把握容易性を高めることができる。
【００６９】
なお、本発明は上記の実施形態において示されたものに限定されるものではなく、明細書の記載、並びに周知の技術に基づいて、当業者が変更、応用することも本発明の予定するところであり、保護を求める範囲に含まれる。
【産業上の利用可能性】
【００７０】
本発明は、２種類の操作部が直感的に連動しているということが分かるような画面表示を行い、２種類の操作部（例えばタッチパネルと物理キーなど）を連携させる携帯端末装置を提供する。
【符号の説明】
【００７１】
１  操作部
２  表示部
３  マイク
４  レシーバ
５  アンテナ
６  操作部表示
７  開始キー
８  表示画面
９  電源スイッチソフトキー
１０  ソフトキー群
１１  第１の操作部
１２  タッチパネル
１３  入力デバイスＡ
１４  ディスプレイ
１５  入力制御部
１６  表示制御部
１７  入力デバイスＢ
１８，５７  物理キー（ハードキー）
１９  第２の操作部
２０  センサ
２１  連動制御部
２２  バックライト
２５  画像領域（表示画像）
２６，２７,７４  有効部連動領域（連動部）
２８  タッチパネル
２９  ヒンジ
３１，３２,７３,７６  有効部
３３，６４，７２,７７  無効部
５５，５６，６１，７１，７５，８１  画像領域（表示画像）
５８  ソフトキー（タッチキー）
６３  センサデバイス
８２  フレーム一覧
８３  画像
８４，８５  前後ページボタン
１０１  編集画面機能キー
１１１，１１５  セレクタ連動部
１１２，１１６  回転型セレクタ
【図１】
2010283442.tif 000003
【図２】
2010283442.tif 000004
【図３】
2010283442.tif 000005
【図４】
2010283442.tif 000006
【図５】
2010283442.tif 000007
【図６】
2010283442.tif 000008
【図７】
2010283442.tif 000009
【図８】
2010283442.tif 000010
【図９】
2010283442.tif 000011
【図１０】
2010283442.tif 000012
【図１１】
2010283442.tif 000013
【図１２】
2010283442.tif 000014
【図１３】
2010283442.tif 000015
【図１４】
2010283442.tif 000016
【図１５】
2010283442.tif 000017